(57)【要約】  【課題】貯湯タンクに着脱可能な熱交換器17において、フィンを廃止したうえで十分な熱交換性能を得るとともに、浴槽の湯水の追い焚きに適した熱交換性能を得る。  【解決手段】熱交換器17には、貯湯タンクの熱交換器取付口に着脱可能に取り付けるフランジ31を設け、フランジ31に熱交換器取付口から貯湯タンク内に挿入配置する熱交換パイプ32を設ける。熱交換パイプ32は、長さを４．５〜６．５ｍとし、フィンを廃止したうえで十分な熱交換性能を得られるとともに、浴槽の湯水の追い焚きに適した熱交換性能を得られる。  【選択図】図１
2005337576.tif 000002
【特許請求の範囲】
【請求項１】
浴槽との間で湯水が循環され、貯湯タンク内の湯と熱交換する熱交換器であって、
前記貯湯タンクに形成された熱交換器取付口に着脱可能に取り付けられるフランジと、
長さが４．５〜６．５ｍで、両端が前記フランジの外側に突出されるとともに、中間部がフランジの内側に突出されて前記熱交換器取付口から貯湯タンク内に挿入配置される熱交換パイプと
を具備していることを特徴とする熱交換器。
【請求項２】
熱交換パイプの外径は１１〜１５ｍｍである
ことを特徴とする請求項１記載の熱交換器。
【請求項３】
熱交換パイプは、両端がフランジの外側に突出され、中間部がフランジの外側と内側との間で貫通を複数回繰り返してフランジの内側に突出する複数の略Ｕ字形の熱交換パイプ部が形成されているとともにフランジの外側で折り返して熱交換パイプ部間を接続する複数の折返しパイプ部が形成され、これら複数の熱交換パイプ部が熱交換器取付口から貯湯タンク内に挿入配置される
ことを特徴とする請求項１または２記載の熱交換器。
【請求項４】
フランジに熱交換パイプが貫通する複数の貫通孔が形成され、これら複数の貫通孔の総面積をＡ、フランジの熱交換パイプが貫通可能とする領域の有効面積をＢとしたとき、Ａ／Ｂ＞０．１６の関係を有する
ことを特徴とする請求項３記載の熱交換器。
【請求項５】
熱交換パイプは、複数の略Ｕ字形の熱交換パイプ部のうち、所定数の熱交換パイプ部が略Ｕ字形の面に垂直な方向に整列配置されているとともに、残りの熱交換パイプ部が整列配置されている所定数の熱交換パイプ部の内側間にそれら整列配置されている熱交換パイプ部に対して略Ｕ字形の面が交差する向きで配置されている
ことを特徴とする請求項３または４記載の熱交換器。
【請求項６】
少なくとも一部の熱交換パイプ部の先端が貯湯タンク内の上部域へ向けて折曲されている
ことを特徴とする請求項１ないし５いずれか記載の熱交換器。
【発明の詳細な説明】
【技術分野】
【０００１】
本発明は、貯湯タンク内に貯湯される湯と熱交換する熱交換器に関する。
【背景技術】
【０００２】
従来、電気温水器の貯湯タンク内に湯を沸き上げて貯湯しておき、この貯湯タンク内に貯湯されている湯を給湯するようにした給湯装置では、貯湯タンク内の上部に浴槽に湯張りされた湯水を循環させる熱交換器を設け、貯湯タンク内に貯湯された湯の熱を利用して浴槽に湯張りされた湯水を追い焚きする追焚機能付きの給湯装置がある。
【０００３】
熱交換器は、貯湯タンクに対して着脱可能になっていれば、点検や交換が可能になる。熱交換器を着脱可能に構成するためには、貯湯タンクの側面に熱交換器取付口が形成され、この熱交換器取付口に熱交換器のフランジがボルト止めによって液密に着脱可能に取り付けられる。このフランジには、熱交換パイプが貫通状態で液密に固定され、熱交換パイプの両端がフランジの外側に突出されているとともに、中間部がフランジの内側に突出されて熱交換器取付口から貯湯タンク内に挿入配置されている。
【０００４】
熱交換パイプは、熱交換器取付口から貯湯タンク内に挿入配置可能とするために略Ｕ字形に形成されている場合が多いが、そのままでは熱交換性能が低く、追焚時間がかかってしまう。そこで、熱交換パイプの周囲に複数のフィンを固定し、熱伝達面積を増加させて熱交換性能を向上させ、追焚時間を短縮させている（例えば、特許文献１参照。）。
【特許文献１】実開昭６３−１９１４３号公報（第１頁、第１−６図）
【発明の開示】
【発明が解決しようとする課題】
【０００５】
しかしながら、従来の熱交換器では、熱交換パイプの周囲に複数のフィンを固定する必要があるので、製造に手間がかかって製造コストが高くなり、また、製造上、熱交換パイプと各フィンとの間に隙間ができ、水質によっては熱交換パイプに孔食が発生しやすくなり、早期の交換が必要となる問題がある。
【０００６】
本発明は、このような点に鑑みなされたもので、貯湯タンクに着脱可能な熱交換器において、フィンを廃止したうえで十分な熱交換性能を得ることができるとともに、浴槽の湯水の追い焚きに適した熱交換性能を得ることができることを目的とする。
【課題を解決するための手段】
【０００７】
請求項１記載の熱交換器は、浴槽との間で湯水が循環され、貯湯タンク内の湯と熱交換する熱交換器であって、前記貯湯タンクに形成された熱交換器取付口に着脱可能に取り付けられるフランジと、長さが４．５〜６．５ｍで、両端が前記フランジの外側に突出されるとともに、中間部がフランジの内側に突出されて前記熱交換器取付口から貯湯タンク内に挿入配置される熱交換パイプとを具備しているものである。
【０００８】
そして、熱交換パイプの長さが４．５ｍより短いと、十分な熱交換性能を得ることができず、追焚時間が必要以上に長くかかり、また、熱交換パイプの長さが６．５ｍより長いと、熱交換パイプを熱交換器取付口から貯湯タンク内に挿入配置することが困難になったり、熱交換性能が高くなり過ぎて浴槽に循環する湯水温度が高くなり過ぎるおそれがある。したがって、貯湯タンクに着脱可能な熱交換器において、熱交換パイプの長さを４．５〜６．５ｍの範囲とすることにより、フィンを廃止したうえで十分な熱交換性能が得られるとともに、浴槽の湯水の追い焚きに適した熱交換性能が得られる。
【０００９】
請求項２記載の熱交換器は、請求項１記載の熱交換器において、熱交換パイプの外径は１１〜１５ｍｍであるものである。
【００１０】
そして、熱交換パイプの外径が１１ｍｍより小さいと、貯湯タンク内の湯との伝熱面積が少なくなって十分な熱交換性能を得ることができず、また、熱交換パイプの外径が１５ｍｍより大きいと、熱交換パイプの長さ４．５〜６．５ｍを確保したときに熱交換器取付口に挿入するのが困難になったり、熱交換性能が高くなり過ぎて浴槽に循環する湯水温度が高くなり過ぎるおそれがある。したがって、貯湯タンクに着脱可能な熱交換器において、熱交換パイプの長さを４．５〜６．５ｍの範囲とすることに加えて、熱交換パイプの外径を１１〜１５ｍｍの範囲とすることにより、フィンを廃止したうえで十分な熱交換性能が得られるとともに、浴槽の湯水の追い焚きに適した熱交換性能が得られる。
【００１１】
請求項３記載の熱交換器は、請求項１または２記載の熱交換器において、熱交換パイプは、両端がフランジの外側に突出され、中間部がフランジの外側と内側との間で貫通を複数回繰り返してフランジの内側に突出する複数の略Ｕ字形の熱交換パイプ部が形成されているとともにフランジの外側で折り返して熱交換パイプ部間を接続する複数の折返しパイプ部が形成され、これら複数の熱交換パイプ部が熱交換器取付口から貯湯タンク内に挿入配置されるものである。
【００１２】
そして、熱交換パイプは、この熱交換パイプの両端をフランジの外側に突出し、熱交換パイプの中間部をフランジの外側と内側との間で貫通を複数回繰り返してフランジの内側に突出する複数の略Ｕ字形の熱交換パイプ部を形成するとともにフランジの外側で折り返して熱交換パイプ部間を接続する複数の折返しパイプ部を形成したことにより、これら複数の熱交換パイプ部を熱交換器取付口から貯湯タンク内に挿入配置可能でありながら、熱交換パイプの必要な長さを確保可能となる。
【００１３】
請求項４記載の熱交換器は、請求項３記載の熱交換器において、フランジに熱交換パイプが貫通する複数の貫通孔が形成され、これら複数の貫通孔の総面積をＡ、フランジの熱交換パイプが貫通可能とする領域の有効面積をＢとしたとき、Ａ／Ｂ＞０．１６の関係を有するものである。
【００１４】
そして、複数の貫通孔の総面積Ａ／フランジの有効面積Ｂの比が０．１６より小さい、Ａ／Ｂ＜０．１６の関係であると、熱交換パイプの必要な長さを確保することが困難になり、また、Ａ／Ｂ＞０．１６の関係とすることにより、フランジの限られた大きさのなかで、フランジを貫通して貯湯タンク内に挿入配置される熱交換パイプ部の数を増やし、熱交換パイプの必要な長さを確保可能となる。
【００１５】
請求項５記載の熱交換器は、請求項３または４記載の熱交換器において、熱交換パイプは、複数の略Ｕ字形の熱交換パイプ部のうち、所定数の熱交換パイプ部が略Ｕ字形の面に垂直な方向に整列配置されているとともに、残りの熱交換パイプ部が整列配置されている所定数の熱交換パイプ部の内側間にそれら整列配置されている熱交換パイプ部に対して略Ｕ字形の面が交差する向きで配置されているものである。
【００１６】
そして、熱交換パイプは、複数の略Ｕ字形の熱交換パイプ部のうち、所定数の熱交換パイプ部を略Ｕ字形の面に垂直な方向に整列配置するとともに、残りの熱交換パイプ部を整列配置されている所定数の熱交換パイプ部の内側間にそれら整列配置されている熱交換パイプ部に対して略Ｕ字形の面が交差する向きで配置することにより、複数の熱交換パイプ部を密に配列して熱交換パイプ部を多くし、熱交換パイプの必要な長さを確保可能となる。
【００１７】
請求項６記載の熱交換器は、請求項１ないし５いずれか記載の熱交換器において、少なくとも一部の熱交換パイプ部の先端が貯湯タンク内の上部域へ向けて折曲されているものである。
【００１８】
そして、少なくとも一部の熱交換パイプ部の先端を貯湯タンク内の上部域へ向けて折曲したことにより、貯湯タンクの上部の熱を有効に利用可能となる。
【発明の効果】
【００１９】
請求項１記載の熱交換器によれば、貯湯タンクに着脱可能な熱交換器において、熱交換パイプの長さを４．５〜６．５ｍとすることにより、フィンを廃止したうえで十分な熱交換性能を得ることができるとともに、浴槽の湯水の追い焚きに適した熱交換性能を得ることができる。
【００２０】
請求項２記載の熱交換器によれば、請求項１記載の熱交換器の効果に加えて、交換パイプの外径を１１〜１５ｍｍとすることにより、フィンを廃止したうえで十分な熱交換性能が得られるとともに、浴槽の湯水の追い焚きに適した熱交換性能が得られる。
【００２１】
請求項３記載の熱交換器によれば、請求項１または２記載の熱交換器の効果に加えて、熱交換パイプは、この熱交換パイプの両端をフランジの外側に突出し、熱交換パイプの中間部をフランジの外側と内側との間で貫通を複数回繰り返してフランジの内側に突出する複数の略Ｕ字形の熱交換パイプ部を形成するとともにフランジの外側で折り返して熱交換パイプ部間を接続する複数の折返しパイプ部を形成したことにより、これら複数の熱交換パイプ部を熱交換器取付口から貯湯タンク内に挿入配置可能でありながら、熱交換パイプの必要な長さを確保できる。
【００２２】
請求項４記載の熱交換器によれば、請求項３記載の熱交換器の効果に加えて、複数の貫通孔の総面積Ａ／フランジの有効面積Ｂの比が０．１６より大きい、Ａ／Ｂ＞０．１６の関係とすることにより、フランジの限られた大きさのなかで、フランジを貫通して貯湯タンク内に挿入配置される熱交換パイプ部の数を増やし、熱交換パイプの必要な長さを確保できる。
【００２３】
請求項５記載の熱交換器によれば、請求項３または４記載の熱交換器の効果に加えて、熱交換パイプは、複数の略Ｕ字形の熱交換パイプ部のうち、所定数の熱交換パイプ部を略Ｕ字形の面に垂直な方向に整列配置するとともに、残りの熱交換パイプ部を整列配置されている所定数の熱交換パイプ部の内側間にそれら整列配置されている熱交換パイプ部に対して略Ｕ字形の面が交差する向きで配置することにより、複数の熱交換パイプ部を密に配列できて熱交換パイプ部を多くでき、熱交換パイプの必要な長さを確保できる。
【００２４】
請求項６記載の熱交換器によれば、請求項１ないし５いずれか記載の熱交換器の効果に加えて、少なくとも一部の熱交換パイプ部の先端を貯湯タンク内の上部域へ向けて折曲したことにより、貯湯タンクの上部の熱を有効に利用できる。
【発明を実施するための最良の形態】
【００２５】
以下、本発明の一実施の形態を図面を参照して説明する。
【００２６】
図５に、熱交換器を用いた給湯装置を簡略した構成図を示し、11は給湯装置の電気温水器で、この電気温水器11は、先止押上式の給湯方式を採用したもので、貯湯タンク12を有し、この貯湯タンク12の下部に給水管13が接続され、上部に給湯管14が接続されている。貯湯タンク12の側面下部および側面上部には、貯湯タンク12内に挿入配置される下部ヒータ15および上部ヒータ16がそれぞれ着脱可能で液密に取り付けられている。
【００２７】
貯湯タンク12の側面上部には、貯湯タンク12内に挿入配置される熱交換器17が着脱可能で液密に取り付けられ、この熱交換器17と風呂の浴槽18との間に浴槽18に湯張りされた湯水が循環される循環配管19が接続され、この循環配管19に浴槽18の湯水を例えば８．５Ｌ／ｍｉｎの流量で循環させる循環ポンプ20が配設されている。図２に示すように、貯湯タンク12のタンク本体12aの側面には、熱交換器17を取り付けるための環状の取付座21が設けられ、この取付座21の内側に熱交換器17が挿入配置される円形の熱交換器取付口22が開口形成されている。
【００２８】
図１ないし図３に、熱交換器17を示し、この熱交換器17は、貯湯タンク12の取付座21に着脱可能で図示しないパッキングを介して液密に取り付けられるフランジ31、および両端がフランジ31の外側に突出されるとともに中間部がフランジ31の内側に突出されて熱交換器取付口22から貯湯タンク12内に挿入配置される熱交換パイプ32を有している。
【００２９】
フランジ31は、図４に示すように、円板状で、周辺部には取付座21にボルト止めされる複数の取付孔33が形成された環状の取付部34が形成され、この取付部34の内側で熱交換器取付口22に対向する領域には熱交換パイプ32が貫通可能とする有効面部35が形成され、この有効面部35に複数の貫通孔36が形成されている。本実施の形態では、貫通孔36が上下方向に４つずつ並んで２列に整列配置されているとともに、これら２列の貫通孔36の内側間でかつ上下位置に２つの貫通孔36がそれぞれ配置されており、すなわち、水平方向に３列で、両側の２列が上下方向に４つずつ並び、中間の１列が上下に２つ並んで配置されている。
【００３０】
熱交換パイプ32は、図１ないし図３に示すように、例えば複数の銅パイプを液密に連結して１本の連続したパイプとし、長さが４．５〜６．５ｍ、外径が１１〜１５ｍｍ、パイプ材厚が０．６ｍｍの範囲に形成されており、フランジ31の各貫通孔36にロー付けなどによって液密に固定されている。
【００３１】
熱交換パイプ32の両端部はフランジ31の貫通孔36を通じて外側に突出され、それら各端部に循環配管19に接続される継手37を有する接続パイプ部38，39が設けられている。
【００３２】
熱交換パイプ32の中間部はフランジ31の複数の貫通孔36を通じて外側と内側との間で貫通を複数回繰り返してフランジ31の内側に突出する複数の略Ｕ字形の熱交換パイプ部40，41，42，43，44が形成されているとともにフランジ31の外側で折り返して所定の熱交換パイプ部40〜44間を接続する複数の折返しパイプ部45，46，47，48が形成されている。各熱交換パイプ部40〜44は、フランジ31の各貫通孔36にロー付けなどによって液密に固定されている。
【００３３】
本実施の形態では、５本の熱交換パイプ部40〜44が用いられ、これら５本の熱交換パイプ部40〜44のうち、４本の熱交換パイプ部40〜43の両端部がフランジ31の両側の２列の貫通孔36にそれぞれ貫通されて、４本の熱交換パイプ部40〜43が略Ｕ字形の面に垂直な方向つまり上下方向に整列配置され、また、１本の熱交換パイプ部44の両端部がフランジ31の中間の列の上下の貫通孔36にそれぞれ貫通されて、１本の熱交換パイプ部44が整列配置されている４本の熱交換パイプ部40〜43の内側間にそれら整列配置されている熱交換パイプ部40〜43に対して略Ｕ字形の面が交差する向きつまり縦向きで配置されている。
【００３４】
フランジ31の外側において、最上部の１本目の熱交換パイプ部39の一端に一方の接続パイプ部38が接続され、１本目の熱交換パイプ部40の他端と２本目の熱交換パイプ部41の一端とが折返しパイプ部45で接続され、２本目の熱交換パイプ部41の他端と３本目の熱交換パイプ部42の一端とが折返しパイプ部46で接続され、３本目の熱交換パイプ部42の他端と４本目の熱交換パイプ部43の一端とが折返しパイプ部47で接続され、４本目の熱交換パイプ部43の他端と縦向きの５本目の熱交換パイプ部44の一端とが折返しパイプ部48で接続され、５本目の熱交換パイプ部44の他端に他方の接続パイプ部39が接続されている。
【００３５】
熱交換パイプ部40〜43の先端には、貯湯タンク12内の上部域へ向けて折曲された折曲部49が形成されている。そして、これら熱交換パイプ部40〜43の先端の折曲部49側から貯湯タンク12の熱交換器取付口22に挿入することにより、全ての熱交換パイプ部40〜44が熱交換器取付口22から貯湯タンク12内に挿入配置される。
【００３６】
次に、本実施の形態の作用を説明する。
【００３７】
電気温水器11では、例えば深夜電力時間帯などの特定時間帯に下部ヒータ15などに通電し、貯湯タンク12内に所定温度の湯を沸き上げて貯湯する。
【００３８】
貯湯タンク12内に貯湯された湯は、給湯管14を通じて例えばミキシングバルブで予め設定された適温の湯温に調整して給湯場所に給湯する。
【００３９】
浴槽18に湯張りした入浴時に、浴槽18の湯温が低下した場合、循環ポンプ20を作動させ、浴槽18の湯水を循環配管19を通じて貯湯タンク12内の上部に挿入配置された熱交換器17に送り、この熱交換器17の熱交換パイプ32内を通過する湯水と貯湯タンク12内に貯湯された湯との間で熱交換させ、熱交換によって温度が上昇した湯水を浴槽18に戻すことにより、浴槽18に湯張りされた湯水を追い焚きする。
【００４０】
このとき、例えば、浴槽18の湯張りされている湯水の湯量が２００リットル、湯温が３０℃の場合に、湯温を４０℃まで追い焚きするときの追焚時間は、この追焚時間が短いため火傷するくらいの高温の湯が浴槽18に戻るのを防止することを考慮すると最低でも５分以上かけるほうが好ましく、また、追焚時間が長くなるのを防止することを考慮すると２０分以内のほうが好ましく、したがって、５〜２０分の範囲が適切であり、より好ましくは、追焚時間を長くして浴槽18に戻る湯水の温度を低減したうえで追焚時間が必要以上に長くならないようにすることを考慮すれば、１０〜１８分の範囲が適切である。
【００４１】
そして、熱交換パイプ32の長さと追焚時間との関係を測定し、その結果を図６に示す。この測定では、浴槽18に湯張りされている湯水の湯量が２００リットル、湯温が３０℃の場合に、湯温を４０℃まで上昇させたときにかかる追焚時間を測定したもので、貯湯タンク12内の湯温、浴槽18と熱交換パイプ32との間で循環させる湯水の流量、熱交換パイプ32の外径および内径は同一条件として測定した。
【００４２】
熱交換パイプ32の長さが５ｍ、熱交換パイプ部本数が４本の場合には、追焚時間A1が１６分３３秒、追焚時間A2が１５分４４秒であった。熱交換パイプ32の長さが５．２ｍ、熱交換パイプ部本数が４本の場合には、追焚時間B1が１５分２３秒、追焚時間B2が１５分０３秒であった。熱交換パイプ32の長さが６ｍ、熱交換パイプ部本数が５本の場合には、追焚時間Ｃが１２分２０秒であった。交換パイプ32の長さが６．２ｍ、熱交換パイプ部本数が５本の場合には、追焚時間Ｄが１１分１３秒であった。
【００４３】
この測定結果から、１０〜１８分の追焚時間の範囲に入るように考慮すると、熱交換パイプ32の長さが４．５〜６．５ｍの範囲であることが適切であり、さらにこの長さ４．５〜６．５ｍを確保するために熱交換パイプ部本数は４本以上であることが適切であることが確認された。
【００４４】
熱交換パイプ32の長さに関しては、４．５ｍより短いと、十分な熱交換性能を得ることができず、追焚時間が必要以上に長くかかり、また、６．５ｍより長いと、熱交換性能が高くなり過ぎて浴槽18に循環する湯水温度が高くなり過ぎるおそれがあり、しかも、熱交換パイプ32を熱交換器取付口22から貯湯タンク12内に挿入配置することが困難になる場合がある。
【００４５】
したがって、貯湯タンク12に着脱可能な熱交換器17において、熱交換パイプ32の長さを４．５〜６．５ｍの範囲とすることにより、フィンを廃止したうえで十分な熱交換性能が得られるとともに、浴槽18の湯水の追い焚きに適した熱交換性能が得られる。フィンを廃止したことにより、熱交換パイプ32における孔食の発生を低減できる。
【００４６】
また、熱交換パイプ32の外径を１１〜１５ｍｍの範囲とすることが好ましい。すなわち、熱交換パイプ32の外径が１１ｍｍより小さいと、貯湯タンク12内の湯との伝熱面積が少なくなって十分な熱交換性能を得ることができず、また、熱交換パイプ32の外径が１５ｍｍより大きいと、熱交換性能が高くなり過ぎて浴槽18に循環する湯水温度が高くなり過ぎるおそれがあり、しかも、熱交換パイプ32の長さ４．５〜６．５ｍを確保したときに熱交換器取付口22に挿入するのが困難になる場合がある。
【００４７】
したがって、貯湯タンク12に着脱可能な熱交換器17において、熱交換パイプ32の長さを４．５〜６．５ｍの範囲とすることに加えて、熱交換パイプ32の外径を１１〜１５ｍｍの範囲とすることにより、フィンを廃止したうえで十分な熱交換性能が得られるとともに、浴槽18の湯水の追い焚きに適した熱交換性能が得られる。
【００４８】
また、フランジ31の複数の貫通孔36の総面積をＡ、フランジ31の熱交換パイプ32が貫通可能とする有効面部35の有効面積をＢとしたとき、Ａ／Ｂ＞０．１６の関係を有することが好ましい。
【００４９】
すなわち、フランジ31の貫通孔36の内径が１２．７ｍｍ、フランジ31の有効面部35の直径が８１ｍｍの条件において、貫通孔36が１０個の場合には（６．３５）２×π×１０／（４０．０５）２×π＝０．２５、貫通孔36が８個の場合には（６．３５）２×π×８／（４０．０５）２×π＝０．２０、貫通孔36が６個の場合には（６．３５）２×π×６／（４０．０５）２×π＝０．１５となる。
【００５０】
上述した測定において熱交換パイプ32の長さ４．５〜６．５ｍを確保するために熱交換パイプ部本数は４本以上必要であることが確認されているため、貫通孔36の個数は８個以上必要となり、貫通孔36が６個の場合のＡ／Ｂ＝０．１５の値より大きくなるように、Ａ／Ｂ＞０．１６の関係が定義される。
【００５１】
したがって、複数の貫通孔36の総面積Ａ／フランジ31の有効面積Ｂの比が０．１６より大きい、Ａ／Ｂ＞０．１６の関係とすることにより、フランジ31の限られた大きさのなかで、フランジ31を貫通して貯湯タンク12内に挿入配置される熱交換パイプ部本数を増やし、熱交換パイプ32の必要な長さを確保することができる。
【００５２】
また、熱交換パイプ32は、この熱交換パイプ32の両端をフランジ31の外側に突出し、熱交換パイプ32の中間部をフランジ31の外側と内側との間で貫通を複数回繰り返してフランジ31の内側に突出する複数の略Ｕ字形の熱交換パイプ部40〜44を形成するとともにフランジ31の外側で折り返して熱交換パイプ部40〜44間を接続する複数の折返しパイプ部45〜48を形成したことにより、これら複数の熱交換パイプ部40〜44を熱交換器取付口22から貯湯タンク12内に挿入配置可能でありながら、熱交換パイプ32の必要な長さを確保できる。
【００５３】
熱交換パイプ32は、複数の略Ｕ字形の熱交換パイプ部40〜44のうち、所定数の熱交換パイプ部40〜43を略Ｕ字形の面に垂直な方向に整列配置するとともに、残りの熱交換パイプ部44を整列配置されている所定数の熱交換パイプ部40〜43の内側間にそれら整列配置されている熱交換パイプ部40〜43に対して略Ｕ字形の面が交差する向きで配置することにより、複数の熱交換パイプ部40〜44を密に配列できて熱交換パイプ部40〜44を多くでき、熱交換パイプ32の必要な長さを確保できる。
【００５４】
熱交換パイプ部32の先端を貯湯タンク12内の上部域へ向けて折曲したことにより、貯湯タンク12の上部の熱を有効に利用できる。
【００５５】
なお、熱交換器17の熱交換パイプ32の中間部がフランジ31に貫通されて固定されることにより、長い熱交換パイプ32を確実に支持できるが、熱交換パイプ32の中間部はフランジ31に貫通させず、熱交換パイプ32の両端のみをフランジ31に貫通させて支持するようにしてもよい。
【００５６】
また、熱交換器17は、各ヒータ15，16によって湯を沸き上げるタイプの電気温水器に限らず、ヒートポンプユニットによって湯を沸き上げるタイプの電気温水器にも適用できる。
【図面の簡単な説明】
【００５７】
【図１】本発明の一実施の形態を示す熱交換器の斜視図である。
【図２】同上熱交換器の側面図である。
【図３】同上熱交換器の外側の端面図である。
【図４】同上熱交換器のフランジの正面図である。
【図５】同上熱交換器を用いた給湯装置を簡略した構成図である。
【図６】同上熱交換器の長さと追焚時間との関係を示すグラフである。
【符号の説明】
【００５８】
12    貯湯タンク
17    熱交換器
18    浴槽
22    熱交換器取付口
31    フランジ
32    熱交換パイプ
36    貫通孔
40〜44    熱交換パイプ部
45〜48    折返しパイプ部
【図１】
2005337576.tif 000003
【図２】
2005337576.tif 000004
【図３】
2005337576.tif 000005
【図４】
2005337576.tif 000006
【図５】
2005337576.tif 000007
【図６】
2005337576.tif 000008